(57)【要約】【課題】タッチ位置を高精度に検知するタッチパネルを提供する。【解決手段】板形状を有すると共に一方の基材５ａとの間で他方の基材５ｂを挟むように配置されて、外面１５ａ側からのタッチにより他方の基材５ｂに向かって押圧されるカバープレート１５と、カバープレート１５の内面から突出しつつ複数の抵抗体電極部９および複数の検知電極部１０に交差する方向に線状に延びるように配置された線状突出部１６とを備え、タッチの押圧によりカバープレート１５の姿勢が線状突出部１６を部分的に他方の基材５ｂに押し当てるように変化して、他方の基材５ｂに配置されたタッチ電極部１３がタッチ位置Ｐに応じた抵抗体電極部９と検知電極部１０を接続する。【選択図】  図２
2020009242.tif 000002
【特許請求の範囲】
【請求項１】
線状に延びるように配置された抵抗体と検知配線部からそれぞれ複数の抵抗体電極部と複数の検知電極部が櫛歯状に延びるように配列形成された一方の基材に対して、タッチ電極部を配置した他方の基材が対向して配置され、タッチ位置に応じた抵抗体電極部と検知電極部が前記タッチ電極部により接続されるタッチパネルであって、
板形状を有すると共に前記一方の基材との間で前記他方の基材を挟むように配置されて、外面側からのタッチにより前記他方の基材に向かって押圧されるカバープレートと、
前記カバープレートの内面から突出しつつ前記複数の抵抗体電極部および前記複数の検知電極部に交差する方向に線状に延びるように配置された線状突出部と
を備え、
タッチの押圧により前記カバープレートの姿勢が前記線状突出部を部分的に前記他方の基材に押し当てるように変化して、前記他方の基材に配置された前記タッチ電極部がタッチ位置に応じた抵抗体電極部と検知電極部を接続するタッチパネル。
【請求項２】
前記線状突出部は、前記複数の抵抗体電極部および前記複数の検知電極部が配置された検知領域を前記複数の抵抗体電極部および前記複数の検知電極部の配列方向にわたって延びるように形成される請求項１に記載のタッチパネル。
【請求項３】
前記線状突出部は、前記検知領域において前記配列方向に直交する幅方向のほぼ中央部を延びるように形成される請求項２に記載のタッチパネル。
【請求項４】
前記カバープレートは、タッチの押圧に応じて湾曲するように姿勢を変化させる請求項１〜３のいずれか一項に記載のタッチパネル。
【請求項５】
前記カバープレートを弾性的に支持する弾性支持部をさらに有し、
前記カバープレートは、タッチの押圧に応じて前記弾性支持部により前記他方の基材側に弾性的に移動するように姿勢を変化させる請求項１〜４のいずれか一項に記載のタッチパネル。
【請求項６】
前記弾性支持部は、前記カバープレートと前記他方の基材の間を接続するように配置される請求項５に記載のタッチパネル。
【請求項７】
前記カバープレートとの間で前記一方の基材および前記他方の基材を挟むように配置され、前記一方の基材を固定する固定プレートをさらに有し、
前記弾性支持部は、タッチの押圧に応じて前記カバープレートが傾斜するように前記カバープレートと前記固定プレートの間を接続する請求項５または６に記載のタッチパネル。
【請求項８】
前記弾性支持部は、前記線状突出部を囲むように配置される請求項５〜７のいずれか一項に記載のタッチパネル。
【発明の詳細な説明】
【技術分野】
【０００１】
この発明は、タッチパネルに係り、特に、抵抗方式でタッチ位置を検知するタッチパネルに関する。
【背景技術】
【０００２】
従来から、表面をタッチしたタッチ位置を抵抗方式で検知するタッチパネルが実用化されている。抵抗方式のタッチパネルは、例えば、２つの導電膜が対向配置されており、指でタッチされた一方の導電膜が湾曲して他方の導電膜に接触する。これにより、接触位置に応じた導電膜の電位を測定し、この電位に基づいてタッチ位置が算出される。
しかしながら、一方の導電膜を湾曲させた湾曲面で他方の導電膜と接触するため、その接触面積が広くなり、タッチ位置を高精度に検知できないといった問題があった。
【０００３】
そこで、タッチ位置を高精度に検知する技術として、例えば、特許文献１には、文字入力のときに小型キーボードと同等の操作性で入力を実現するタッチパネル補助装置が提案されている。このタッチパネル補助装置は、柔軟な補助シートに突起が設けられており、この突起で導電膜を局所的に押下することができ、タッチ位置を高精度に検知することができる。
【先行技術文献】
【特許文献】
【０００４】
【特許文献１】特開平１１−１１０１１１号公報
【発明の概要】
【発明が解決しようとする課題】
【０００５】
ここで、近年、３線式のタッチパネルが実用化されている。３線式のタッチパネルは、互いに対向配置された一対の基材を有し、一方の基材には、線状に延びるように配置された抵抗体と検知配線部からそれぞれ複数の抵抗体電極部と複数の検知電極部が櫛歯状に延びるように配置され、他方の基材にはタッチ電極部が配置されている。ここで、タッチ電極部は、複数の抵抗体電極部と複数の検知電極部を覆うように配置されており、他方の基材がタッチにより湾曲して、タッチ位置に応じた抵抗体電極部と検知電極部がタッチ電極部により接続される。
【０００６】
このように、３線式のタッチパネルは、互いに隙間を空けて配列された抵抗体電極部と検知電極部を接続してタッチ位置を検知する。このため、特許文献１のタッチパネルで用いられた突起のように他方の基材を単に局所的に押圧すると、例えば抵抗体電極部と検知電極部の間の隙間部分が局所的に押圧された場合には抵抗体電極部と検知電極部を接続することができず、タッチ位置を検知できないおそれがあった。
【０００７】
この発明は、このような従来の問題点を解消するためになされたもので、タッチ位置を高精度に検知するタッチパネルを提供することを目的とする。
【課題を解決するための手段】
【０００８】
この発明に係るタッチパネルは、線状に延びるように配置された抵抗体と検知配線部からそれぞれ複数の抵抗体電極部と複数の検知電極部が櫛歯状に延びるように配列形成された一方の基材に対して、タッチ電極部を配置した他方の基材が対向して配置され、タッチ位置に応じた抵抗体電極部と検知電極部がタッチ電極部により接続されるタッチパネルであって、板形状を有すると共に一方の基材との間で他方の基材を挟むように配置されて、外面側からのタッチにより他方の基材に向かって押圧されるカバープレートと、カバープレートの内面から突出しつつ複数の抵抗体電極部および複数の検知電極部に交差する方向に線状に延びるように配置された線状突出部とを備え、タッチの押圧によりカバープレートの姿勢が線状突出部を部分的に他方の基材に押し当てるように変化して、他方の基材に配置されたタッチ電極部がタッチ位置に応じた抵抗体電極部と検知電極部を接続するものである。
【０００９】
ここで、線状突出部は、複数の抵抗体電極部および複数の検知電極部が配置された検知領域を複数の抵抗体電極部および複数の検知電極部の配列方向にわたって延びるように形成されることが好ましい。
【００１０】
また、線状突出部は、検知領域において配列方向に直交する幅方向のほぼ中央部を延びるように形成されることが好ましい。
【００１１】
また、カバープレートは、タッチの押圧に応じて湾曲するように姿勢を変化させることができる。
【００１２】
また、カバープレートを弾性的に支持する弾性支持部をさらに有し、カバープレートは、タッチの押圧に応じて弾性支持部により他方の基材側に弾性的に移動するように姿勢を変化させることもできる。
【００１３】
また、弾性支持部は、カバープレートと他方の基材の間を接続するように配置することができる。
また、カバープレートとの間で一方の基材および他方の基材を挟むように配置され、一方の基材を固定する固定プレートをさらに有し、弾性支持部は、タッチの押圧に応じてカバープレートが傾斜するようにカバープレートと固定プレートの間を接続することができる。
【００１４】
また、弾性支持部は、線状突出部を囲むように配置されることが好ましい。
【発明の効果】
【００１５】
この発明によれば、線状突出部が、カバープレートの内面から突出しつつ複数の抵抗体電極部および複数の検知電極部に交差する方向に線状に延びるように配置されるので、タッチ位置を高精度に検知するタッチパネルを提供することが可能となる。
【図面の簡単な説明】
【００１６】
【図１】この発明の実施の形態１に係るタッチパネルを備えたタッチパネル装置の構成を示す図である。
【図２】カバープレートがタッチされる様子を示す断面図である。
【図３】実施の形態２に係るタッチパネルの要部の構成を示す図である。
【図４】実施の形態２のカバープレートがタッチされる様子を示す断面図である。
【図５】実施の形態３に係るタッチパネルの構成を示す図である。
【図６】実施の形態３のカバープレートがタッチされる様子を示す断面図である。
【図７】実施の形態４に係るタッチパネルの構成を示す図である。
【図８】実施の形態１〜４の変形例に係るタッチパネルの構成を示す断面図である。
【図９】実施の形態１〜４のさらに変形例に係るタッチパネルの構成を示す断面図である。
【発明を実施するための形態】
【００１７】
以下、この発明の実施の形態を添付図面に基づいて説明する。
実施の形態１
図１に、この発明の実施の形態１に係るタッチパネルを備えたタッチパネル装置の構成を示す。このタッチパネル装置は、タッチパネル１と、給電部２と、測定部３と、演算部４とを有する。
【００１８】
タッチパネル１は、互いに対向して配置された一対の基材５ａおよび５ｂを有し、この一方の基材５ａに抵抗体６と、抵抗体配線部７ａおよび７ｂと、検知配線部８と、複数の抵抗体電極部９と、複数の検知電極部１０と、給電用端子１１ａおよび１１ｂと、検知用端子１２とが配置されている。また、他方の基材５ｂには、タッチ電極部１３が配置されている。さらに、一対の基材５ａおよび５ｂを挟むように固定プレート１４とカバープレート１５が配置され、カバープレート１５に線状突出部１６が配置されている。
【００１９】
一対の基材５ａおよび５ｂは、長尺な板形状を有する絶縁性基材である。基材５ａおよび５ｂは、可撓性を有し、フィルム状に薄く形成されている。例えば、基材５ａおよび５ｂは、樹脂材料から形成することができる。
抵抗体６は、比較的高い抵抗値を有し、基材５ａの長手方向に直線状に延びるように配置されている。また、抵抗体６は、長手方向に均一な抵抗分布となるように、例えば一定の幅および厚みで形成されている。抵抗体６は、例えば、カーボンから構成することができ、全長の抵抗値を２００Ω〜１５ｋΩの範囲に形成することができる。
【００２０】
抵抗体配線部７ａは抵抗体６の一端部と給電用端子１１ａとの間を接続するように配置され、抵抗体配線部７ｂは抵抗体６の他端部と給電用端子１１ｂとの間を接続するように配置されている。抵抗体配線部７ａおよび７ｂは、抵抗体６より低い抵抗値を有し、例えば銀などから構成することができる。
検知配線部８は、検知用端子１２から抵抗体６に沿って直線状に延びるように配置されている。検知配線部８は、抵抗体６より低い抵抗値を有し、例えば銀などから構成することができる。
【００２１】
複数の抵抗体電極部９は、抵抗体６に互いに間隔を隔てて接続されている。具体的には、抵抗体電極部９は、抵抗体６から検知配線部８に向かって互いに等間隔で櫛歯状に延びるように配列形成されている。また、抵抗体電極部９は、それぞれ、抵抗体６との接続部分とほぼ同じ電位となるように、すなわち同じ抵抗体電極部９において電位勾配が生じないように抵抗体６より非常に低い抵抗値を有する。例えば、抵抗体電極部９は、銀などから構成することができる。
【００２２】
複数の検知電極部１０は、検知配線部８に互いに間隔を隔てて接続されている。具体的には、検知電極部１０は、検知配線部８から抵抗体６に向かって抵抗体電極部９の間を互いに等間隔で櫛歯状に延びるように配列形成されている。また、検知電極部１０は、抵抗体電極部９とほぼ同じ抵抗値を有し、例えば銀などから構成することができる。
ここで、複数の抵抗体電極部９と複数の検知電極部１０が配置された領域を検知領域Ｒとし、この検知領域Ｒをタッチすることでタッチ位置Ｐが検知される。
【００２３】
タッチ電極部１３は、複数の抵抗体電極部９と複数の検知電極部１０の間を電気的に接続するためのもので、複数の抵抗体電極部９と複数の検知電極部１０に対して隙間を空けて対向するように基材５ｂに配置されている。また、タッチ電極部１３は、複数の抵抗体電極部９と複数の検知電極部１０を覆うように、すなわち他方の基材５ｂにおいて検知領域Ｒ全体に面状に広がるように形成されている。タッチ電極部１３は、抵抗体電極部９とほぼ同じ抵抗値を有し、例えば銀などから構成することができる。
【００２４】
給電用端子１１ａおよび１１ｂは、抵抗体配線部７ａおよび７ｂを給電部２に接続するためのものである。
検知用端子１２は、検知配線部８を測定部３に接続するためのものである。
【００２５】
固定プレート１４は、長尺な板形状を有すると共に基材５ａに当接するように配置されて、その表面に基材５ａが固定されている。また、固定プレート１４は、基材５ａおよび５ｂより剛性が高い材料から構成されている。
カバープレート１５は、長尺な板形状を有し、基材５ａとの間で基材５ｂを挟むように配置されている。また、カバープレート１５は、基材５ａおよび５ｂより剛性が高く且つタッチの押圧に応じて湾曲可能な材料から構成されている。カバープレート１５としては、例えば、ポリエチレンテレフタレートなどの樹脂材料および金属などから構成することができる。
【００２６】
線状突出部１６は、カバープレート１５において基材５ｂに対向する内面に基材５ｂに対して隙間を空けて対向するように配置され、カバープレート１５の内面から突出しつつ複数の抵抗体電極部９および複数の検知電極部１０に交差する方向に線状に延びるように形成されている。ここで、線状突出部１６は、検知領域Ｒを複数の抵抗体電極部９および複数の検知電極部１０の配列方向Ｄ１にわたって延びるように形成されている。また、線状突出部１６は、検知領域Ｒにおいて配列方向Ｄ１に直交する幅方向Ｄ２のほぼ中央部を直線状に延びるように形成されている。
【００２７】
また、基材５ａと基材５ｂの間に固定部１７ａが配置されると共に、カバープレート１５と基材５ｂの間に固定部１７ｂが配置されている。固定部１７ａは、検知領域Ｒを囲むように配置されて、基材５ａと基材５ｂを接着して互いに固定するものである。同様に、固定部１７ｂは、検知領域Ｒを囲むように配置されて、基材５ｂとカバープレート１５を接着して互いに固定するものである。
【００２８】
給電部２は、給電用端子１１ａおよび１１ｂを介して抵抗体６に給電するものである。
測定部３は、検知用端子１２を介してタッチ位置Ｐに対応する抵抗体電極部９の電位を測定するものである。
演算部４は、測定部３に接続されており、測定部３で測定された抵抗体電極部９の電位に基づいてタッチ位置Ｐを演算するものである。
【００２９】
次に、この実施の形態の動作について説明する。
まず、図１に示すように、給電部２から給電用端子１１ａおよび１１ｂを介して抵抗体６に給電され、抵抗体６に電位分布が形成される。ここで、複数の抵抗体電極部９は、それぞれ、抵抗体６との接続部分とほぼ同じ電位となるように抵抗体６より低い抵抗値を有する。このため、複数の抵抗体電極部９は、抵抗体６と同じ電位分布で配列方向Ｄ１に配列されることになる。すなわち、複数の抵抗体電極部９は、抵抗体６の電位を検知配線部８側に断続的に引き出すように形成されている。
【００３０】
続いて、図２（ａ）および（ｂ）に示すように、カバープレート１５の外面１５ａが指でタッチされると、カバープレート１５はタッチの押圧に応じて基材５ｂ側に湾曲するように姿勢を変化させる。これに応じて、カバープレート１５に配置された線状突出部１６も湾曲し、線状突出部１６においてタッチ位置Ｐに対応する部分が基材５ｂに押し当てられる。線状突出部１６が押し当てられた基材５ｂは、タッチ電極部１３と共に基材５ａ側に湾曲する。これにより、タッチ位置Ｐに対応する抵抗体電極部９と検知電極部１０がタッチ電極部１３により電気的に接続される。
【００３１】
このように、線状突出部１６が、カバープレート１５の内面から突出しつつ配列方向Ｄ１に線状に延びるように配置されるため、タッチによる押圧力を面状に拡散させずに配列方向Ｄ１に伝達させることができ、タッチ位置Ｐに対応する抵抗体電極部９と検知電極部１０を確実に接続することができる。また、線状突出部１６は、カバープレート１５に配置されているため、例えばタッチ電極部１３に線状突出部を配置したものと比較して、抵抗体電極部９および検知電極部１０の変形などを抑制することができ、抵抗体電極部９と検知電極部１０の接続性を維持することができる。
【００３２】
また、線状突出部１６は、検知領域Ｒを配列方向Ｄ１にわたって延びるように形成されているため、タッチ位置Ｐに関わらず抵抗体電極部９と検知電極部１０を確実に接続することができる。
また、線状突出部１６は、検知領域Ｒにおいて幅方向Ｄ２のほぼ中央部を延びるように形成されているため、基材５ｂにおいて抵抗体電極部９および検知電極部１０の中央部に対応する部分に線状突出部１６を押し当てることができ、抵抗体電極部９と検知電極部１０をより確実に接続することができる。
さらに、検知領域Ｒには１つの線状突出部１６が配置されるため、例えば複数の線状突出部を配置した場合と比較して、タッチによる押圧力が複数個所に拡散することを抑制し、抵抗体電極部９と検知電極部１０をより確実に接続することができる。
【００３３】
ここで、線状突出部１６は、半円状の横断面を有するように形成することが好ましい。これにより、基材５ｂを押圧することによる線状突出部１６の変形を抑制することができ、基材５ｂを一定の圧力で持続的に押圧することができる。また、線状突出部１６は、細く且つ高さを低く形成することが好ましく、例えば０．２ｍｍの高さで形成することができる。
【００３４】
このようにして、タッチ位置Ｐに対応する抵抗体電極部９と検知電極部１０が接続されると、図１に示すように、抵抗体電極部９から引き出された抵抗体６の電位が、検知用端子１２を介して測定部３により測定される。このとき、複数の抵抗体電極部９は、抵抗体６の電位を断続的に引き出すように形成されているため、タッチ位置Ｐにおける電位をその他の電位と異なる値として高精度に測定することができる。
測定部３で測定された抵抗体６の電位は測定部３から演算部４に出力され、演算部４が抵抗体６の電位に基づいてタッチ位置Ｐを演算する。
【００３５】
本実施の形態によれば、線状突出部１６が、カバープレート１５の内面から突出しつつ複数の抵抗体電極部９および複数の検知電極部１０に直交する方向に延びるように配置されているため、カバープレート１５がタッチされた際の押圧力を面状に拡散させずに配列方向Ｄ１に伝達させることができ、タッチ位置Ｐに対応する抵抗体電極部９と検知電極部１０を確実に接続してタッチ位置Ｐを高精度に検知することができる。
【００３６】
実施の形態２
上記の実施の形態１では、カバープレート１５は、タッチの押圧に応じて湾曲するように姿勢が変化されたが、線状突出部１６を基材５ｂに部分的に押し当てるように姿勢を変化させることができればよく、これに限られるものではない。
例えば、図３に示すように、実施の形態１の固定部１７ｂに換えて、弾性支持部２１を配置することができる。
【００３７】
弾性支持部２１は、カバープレート１５を弾性的に支持するもので、カバープレート１５と基材５ｂの間を弾性的に接続するように配置されている。また、弾性支持部２１は、線状突出部１６を囲むようにカバープレート１５の縁部に沿って配置されている。弾性支持部２１としては、例えばウレタンなどから構成することができる。
【００３８】
このような構成により、図４（ａ）および（ｂ）に示すように、カバープレート１５の外面１５ａが指でタッチされると、カバープレート１５はタッチの押圧に応じて弾性支持部２１により基材５ｂ側に弾性的に移動しつつ僅かに湾曲するように姿勢を変化させる。これにより、カバープレート１５に配置された線状突出部１６も基材５ｂ側に移動しつつ湾曲し、線状突出部１６においてタッチ位置Ｐに対応する部分が基材５ｂに押し当てられる。
【００３９】
このように、弾性支持部２１が、カバープレート１５の姿勢を基材５ｂ側に移動するように変化させるため、カバープレート１５を僅かに湾曲させるだけで線状突出部１６を基材５ｂに確実に押し当てることができる。このため、例えば、カバープレート１５が、剛性の高い材料から構成される場合でも線状突出部１６を基材５ｂに確実に押し当てることができる。
【００４０】
このようにして、線状突出部１６が押し当てられた基材５ｂは、タッチ電極部１３と共に基材５ａ側に湾曲し、タッチ位置Ｐに対応する抵抗体電極部９と検知電極部１０がタッチ電極部１３により接続される。
【００４１】
本実施の形態によれば、弾性支持部２１が、カバープレート１５と基材５ｂの間を弾性的に接続するように配置されるため、カバープレート１５の姿勢を基材５ｂ側に移動するように変化させることができ、カバープレート１５を僅かに湾曲させるだけで線状突出部１６を基材５ｂに確実に押し当てることができる。
【００４２】
実施の形態３
上記の実施の形態２では、弾性支持部２１は、カバープレート１５と基材５ｂの間を弾性的に接続するように配置されたが、タッチの押圧に応じてカバープレート１５を基材５ｂ側に弾性的に移動させることができればよく、これに限られるものではない。
例えば、図５に示すように、実施の形態２のカバープレート１５に換えてカバープレート３１を配置すると共に弾性支持部２１に換えて弾性支持部３２を配置することができる。
【００４３】
カバープレート３１は、長尺な板形状を有し、基材５ａおよび５ｂより剛性が高い材料から構成されている。ここで、カバープレート３１は、基材５ａおよび５ｂより広い面積を有し、その縁部が固定プレート１４の縁部と対向するように配置されている。
【００４４】
弾性支持部３２は、カバープレート３１を弾性的に支持するもので、カバープレート３１と固定プレート１４の縁部の間を弾性的に接続するように配置されている。また、弾性支持部３２は、基材５ａおよび５ｂを線状突出部１６と共に囲むように配置されている。ここで、弾性支持部３２は、カバープレート３１と固定プレート１４の間に配置されるため、実施の形態２の弾性支持部２１と比較して厚く形成されることになる。これにより、弾性支持部３２は、大きな変形量を有するため、カバープレート３１を基材５ｂ側に大きく移動させることが可能となる。弾性支持部３２としては、例えばウレタンなどから構成することができる。
【００４５】
このような構成により、カバープレート３１の外面が指でタッチされると、カバープレート３１の姿勢を大きく変化させることができる。例えば、図６（ａ）および（ｂ）に示すように、カバープレート３１の一対の縁部３３ａおよび３３ｂのうち縁部３３ａ側の外面３１ａがタッチされると、弾性支持部３２は縁部３３ａ側が大きく収縮され、これに伴ってカバープレート３１の姿勢は縁部３３ａが縁部３３ｂに対して低くなるように変化される。すなわち、弾性支持部３２は、タッチの押圧に応じてカバープレート３１が基材５ｂ側に大きく傾斜するようにカバープレート３１と固定プレート１４の間を接続していることになる。これにより、カバープレート３１は、タッチの押圧に応じて大きく傾斜しつつ湾曲するように姿勢を変化させる。そして、カバープレート３１の姿勢の変化に応じて線状突出部１６も基材５ｂ側に大きく傾斜しつつ湾曲し、線状突出部１６のタッチ位置Ｐに対応する部分が基材５ｂに押し当てられる。
【００４６】
このように、弾性支持部３２が、カバープレート３１の姿勢を大きく傾斜するように変化させるため、カバープレート３１をほとんど湾曲させることなく線状突出部１６を基材５ｂに確実に押し当てることができる。このため、カバープレート３１が、より剛性の高い材料から構成される場合でも線状突出部１６を基材５ｂに確実に押し当てることができる。
さらに、弾性支持部３２は、線状突出部１６を囲むように配置、すなわち線状突出部１６を幅方向Ｄ２に挟むように配置されている。これにより、線状突出部１６から幅方向Ｄ２にずれた位置をタッチした場合でも、カバープレート３１の姿勢が幅方向Ｄ２にも傾斜するように変化するため基材５ｂを確実に押圧することができる。
【００４７】
本実施の形態によれば、弾性支持部３２が、カバープレート３１と固定プレート１４の間を弾性的に接続するように配置されているため、タッチの押圧に応じてカバープレート３１を大きく傾斜させることができ、カバープレート３１をほとんど湾曲させることなく線状突出部１６を基材５ｂに確実に押し当てることができる。
【００４８】
実施の形態４
上記の実施の形態１〜３では、抵抗体６は、直線状に延びるように配置されたが、線状に延びるように配置されていればよく、直線状に延びるものに限られるものではない。
例えば、図７に示すように、実施の形態３の抵抗体６、検知配線部８、タッチ電極部１３および線状突出部１６に換えて、抵抗体４１、検知配線部４２、タッチ電極部４３および線状突出部４４を配置することができる。
【００４９】
抵抗体４１は、円環状に延びるように基材５ａに配置され、一方の端部が給電用端子１１ａに接続されると共に他方の端部が給電用端子１１ｂに接続されている。なお、実施の形態３と同様に、抵抗体４１は、比較的高い抵抗値を有し、長手方向に均一な抵抗分布となるように、例えば一定の幅および厚みで形成されている。
検知配線部４２は、抵抗体４１の内側を円環状に延びるように基材５ａに配置され、一方の端部が検知用端子１２に接続されている。
【００５０】
タッチ電極部４３は、複数の抵抗体電極部９と複数の検知電極部１０を覆うように基材５ｂに配置されている。すなわち、タッチ電極部４３は、複数の抵抗体電極部９と複数の検知電極部１０が配置された検知領域Ｒ全体に円環の帯状に広がるように配置されている。
線状突出部４４は、カバープレート３１において基材５ｂに対向する内面から突出しつつ複数の抵抗体電極部９および複数の検知電極部１０に交差する方向に線状に延びるように形成されている。ここで、線状突出部４４は、検知領域Ｒを複数の抵抗体電極部９および複数の検知電極部１０の配列方向Ｄ１にわたって延びるように形成されている。また、線状突出部４４は、検知領域Ｒにおいて配列方向Ｄ１に直交する幅方向のほぼ中央部を線状に延びるように形成されている。
【００５１】
このような構成により、実施の形態３と同様に、カバープレート３１の外面が指でタッチされると、カバープレート３１の姿勢を大きく変化させることができる。例えば、カバープレート３１の姿勢を大きく傾斜するように変化させることができる。
本実施の形態によれば、円環状に延びるように配置された抵抗体４１に対して線状突出部４４を円環状に延びるように配置するため、円環状に操作されたタッチ位置Ｐを高精度に検知することができる。
【００５２】
なお、上記の実施の形態１〜４において、線状突出部を切断する切断部を形成することができる。
例えば、図８に示すように、実施の形態１の線状突出部１６に換えて線状突出部５１を配置することができる。この線状突出部５１は、複数の抵抗体電極部９および複数の検知電極部１０に対応する部分に切断部５２が形成されている。これにより、線状突出部５１は、カバープレート１５の姿勢の変化に応じて互いに分離して変形することができ、タッチ位置Ｐに対応する線状突出部５１で基材５ｂを押圧して、抵抗体電極部９と検知電極部１０をタッチ電極部１３でより局所的に接続することができる。
【００５３】
また、上記の実施の形態１〜４では、線状に延びる１つの線状突出部が配置されたが、複数の線状突出部を配置することもできる。
例えば、図９に示すように、実施の形態１の線状突出部１６に換えて３つの線状突出部５３を配置することができる。この線状突出部５３は、検知領域Ｒにおいて幅方向Ｄ２に異なる位置を配列方向Ｄ１に線状に延びるように形成されている。ここで、線状突出部５３は、少なくとも、１つの抵抗体電極部９と１つの検知電極部１０の間を線状に延びるように形成されることが好ましい。
【００５４】
また、上記の実施の形態１〜４では、線状突出部は、検知領域Ｒを配列方向Ｄ１にわたって延びるように形成されたが、検知領域Ｒの一部を線状に延びるように形成することもできる。
また、上記の実施の形態１〜４では、線状突出部は、検知領域Ｒにおいて幅方向Ｄ２のほぼ中央部を延びるように形成されたが、検知領域Ｒにおいて中央部からずれた位置を延びるように形成することもできる。
【００５５】
さらに、上記の実施の形態１〜４では、線状突出部は、複数の抵抗体電極部９および複数の検知電極部１０に直交する方向に延びるように配置されたが、複数の抵抗体電極部９および複数の検知電極部１０に交差する方向に延びるように配置されていればよく、直交する方向に限られるものではない。例えば、線状突出部は、複数の抵抗体電極部９および複数の検知電極部１０に対して斜め方向に延びるように配置することもできる。
【符号の説明】
【００５６】
１  タッチパネル、２  給電部、３  測定部、４  演算部、５ａ，５ｂ  基材、６，４１  抵抗体、７ａ，７ｂ  抵抗体配線部、８，４２  検知配線部、９  抵抗体電極部、１０  検知電極部、１１ａ，１１ｂ  給電用端子、１２  検知用端子、１３，４３  タッチ電極部、１４  固定プレート、１５，３１  カバープレート、１５ａ，３１ａ  外面、１６，４４，５１，５３  線状突出部、１７ａ，１７ｂ  固定部、２１，３２  弾性支持部、３３ａ，３３ｂ  縁部、５２  切断部、Ｒ  検知領域、Ｐ  タッチ位置、Ｄ１  配列方向、Ｄ２  幅方向。
【図１】
2020009242.tif 000003
【図２】
2020009242.tif 000004
【図３】
2020009242.tif 000005
【図４】
2020009242.tif 000006
【図５】
2020009242.tif 000007
【図６】
2020009242.tif 000008
【図７】
2020009242.tif 000009
【図８】
2020009242.tif 000010
【図９】
2020009242.tif 000011